(57)【要約】【課題】現状の設備を使用しながら、電池を容易につまむことができ、電池を補聴器等の機器に入れ易くすることで容易に電池を交換できる電池用パッケージを提供する。【解決手段】複数の電池収納部１２が形成され且つ各々の電池収納部１２に第１タブ部を有する第１シール１１が貼り付けらた空気電池７を収納する収納部材１ａと、第１シール１１の第１タブ部よりも大きい第２タブ部２２を有する第２シール２１が電池収納部１２内の第１シール１１に対応して設けられ且つ第２シール２１の外周にミシン目が設けられた第３シール２とからなり、第３シール２は、第２シール２１が第１シール１１と重なるように収納部材１ａの凸部１０ａに貼り付けられる。【選択図】      図１
2004207147.tif 000002
【特許請求の範囲】
【請求項１】
複数の電池収納部が形成され且つ各々の電池収納部に第１タブ部を有する第１シールが貼り付けらた空気電池を収納する収納部材と、前記第１シールの第１タブ部よりも大きい第２タブ部を有する第２シールが前記電池収納部内の前記第１シールに対応して設けられ且つ前記第２シールの外周にミシン目が設けられた台紙とからなり、前記台紙は、前記第２シールが前記第１シールと重なるように前記収納部材に貼り付けられることを特徴とする電池用パッケージ。
【請求項２】
前記収納部材を開閉する蓋部材と、この蓋部材と前記収納部材とを連結するヒンジ部とを有することを特徴とする請求項１記載の電池用パッケージ。
【請求項３】
前記収納部材には、前記第２シールの前記第２タブ部に対向する位置に切欠部が形成されていることを特徴とする請求項１又は請求項２記載の電池用パッケージ。
【請求項４】
前記第２シールの粘着剤の粘着力は、前記第１シールの粘着剤の粘着力以上であることを特徴とする請求項１乃至請求項３のいずれか１項記載の電池用パッケージ。
【請求項５】
前記粘着剤は、ポリアクリル酸エステル、塩素化ポリエチレン、スチレン−ブタジエンゴム、ポリイソブチレンのいずれか１つであることを特徴とする請求項４記載の電池用パッケージ。
【請求項６】
前記第１シールと前記第２シールと前記収納部材との全てが、同一材質からなることを特徴とする請求項１乃至請求項５のいずれか１項記載の電池用パッケージ。
【発明の詳細な説明】
【０００１】
【発明の属する技術分野】
本発明は、小型ボタン型電池などを収納する電池用パッケージに関する。
【０００２】
【従来の技術】
一般的に小型ボタン型電池は、電卓、腕時計等に使用され、通常、一度電池を交換すると、２，３年間は交換する必要がないことが多い。小型ボタン型電池のうち、空気亜鉛電池（以下、空気電池と称する。）は、特に補聴器用の電源として用いられることが多い。しかし、空気電池は、補聴器に使用した場合、２，３週間程で、電流が取出せなくなる。小型ボタン型電池を使用する機器としては、補聴器は、電池交換の作業が最も多い機器の一つである。
【０００３】
また、補聴器は比較的高年齢者が使用することが多いので、バリアフリーの観点から機器側の交換のしやすさも当然ながら、補聴器等の機器の小型化に伴い、小型の空気電池を交換しやすくするという点も市場からの大きな要望として課題となっている。
【０００４】
上述した空気電池には、金属缶に空気中の酸素を取り入れるための穴が設けられており、電池未使用時に穴からの酸素の進入と湿気を防ぐために電池表面にシールが貼り付けられている。このシールは、電池使用時に剥がし易くするために、タブ部が形成されている。そして、空気電池を使用する時に、タブ部を掴んでシールを剥がすことにより穴から金属缶に酸素を取り入れ、化学反応を開始させることにより電流を取り出すことができる。
【０００５】
しかし、タブ部が十分な大きさではなかったので、電池が持ち難く、電池の交換が困難であった。また、電池からシールを剥がし難かった。
【０００６】
また、従来、電池を収納するプラスチックケースと台紙とをハトメで固定したダイヤルパックと呼ばれる包装容器に空気電池を入れて、市場で販売されている。図１５に従来のボタン型電池の包装容器の正面図を示す（特許文献１）。図１５に示すボタン型電池の包装容器は、プラスチックで成型されたボタン型電池を収納する複数の室を設けた円形状の透明カバー１０１とボタン型電池を取り出す蓋付の取り出し穴を設けたケース１１０と、取り出し穴と対応した切欠きを有するつり下げ用台紙１２０とからなり、ケース１１０の中央部に設けたピンとカバー中心部に設けた穴１０６とを嵌合してつり下げ用台紙１２０を挟んで固定し、カバー１０１を回転させることにより、取り出し穴よりボタン電池を取り出すことができる。
【０００７】
しかし、図１５に示す包装容器にあっては、包装容器に収納された空気電池を、補聴器等の機器に入れ易くするための特別な機能を備えていなかった。
【０００８】
また、電池を収納するプラスチックケースと台紙とを接着したブリスターパックと呼ばれる包装容器に空気電池を入れて、市場で販売されている。図１６に従来のボタン型電池の包装の側面断面図を示す（特許文献２）。図１６に示すボタン型電池の包装容器は、プラスチックで形成されたボタン型電池を収納する複数の室を設けた透明カバー２０１と複数のボタン型電池の穴を１枚の接着層を有するシート片２０２を台紙２０３に接着してなるものであり、空気電池を取り出す際は台紙２０３の背面にある切り欠き（図示せず）によりミシン目（図示せず）を剥ぎ取ると飛び出した空気電池がシート片に付着したままぶら下がった状態となる。その後、シート片から空気電池を引き剥がすことで空気電池を包装容器から完全に取り出すことができる。
【０００９】
しかし、図１６に示す包装容器にあっては、空気電池が取り出された後も包装容器の一体部分としてシート片が台紙に残ったままであり、取り出された空気電池はタブ付きシートが全く付着していないため補聴器等の機器に入れやすくするための機能を備えていなかった。
【００１０】
なお、包装容器に関連するブリスター包装体の従来技術として、例えば、特許文献２がある。
【００１１】
【特許文献１】
実公昭６２−１１１１号公報
【００１２】
【特許文献２】
特開平５−２１３３６８号公報
【００１３】
【発明が解決しようとする課題】
また、前記シールのタブ部は小さく、つまみにくかったため、空気電池を持ちやすくするために、タブ部を十分に長く伸ばして大きくしたシールを空気電池に貼り付けたものが開発されている。
【００１４】
しかしながら、タブ部を大きくすると、シールを貼るための設備やシールに合せたエージングトレイの改造、あるいは、タブ部が大きくなった分のエージング場所の確保等の問題が発生してしまう。
【００１５】
本発明は、現状の設備を使用しながら、電池を容易につまむことができ、電池を補聴器等の機器に入れ易くすることで容易に電池を交換できる電池用パッケージを提供することにある。
【００１６】
【課題を解決するための手段】
本発明に係る電池用パッケージは、複数の電池収納部が形成され且つ各々の電池収納部に第１タブ部を有する第１シールが貼り付けらた空気電池を収納する収納部材と、前記第１シールの第１タブ部よりも大きい第２タブ部を有する第２シールが前記電池収納部内の前記第１シールに対応して設けられ且つ前記第２シールの外周にミシン目が設けられた台紙とからなり、前記台紙は、前記第２シールが前記第１シールと重なるように前記収納部材に貼り付けられることを特徴とする。
【００１７】
本発明の電池用パッケージによれば、空気電池を使用するときには、収納部材に貼り付けられた台紙の第２シールの第２タブ部を掴んで第２シールのミシン目をちぎると、第２シールに貼り付いた第１シールも一体となって第２シールとして取り出すことができ、また第１シールに貼り付いた空気電池も同時に取り出すことができる。また、第２タブ部は十分な大きさを有しているので、第２タブ部をつまむことで電池を容易につまむことができ、電池を補聴器等の機器に入れ易くなる。また、第２シールを剥がすことで第２シールと一体となって第１シールを空気電池から剥がすことができる。
【００１８】
【発明の実施の形態】
以下、本発明に係る電池用パッケージを図面を参照しながら説明する。
【００１９】
（第１の実施の形態）
図１は本発明の第１の実施の形態の電池用パッケージの正面図である。図２は図１に示すパッケージ本体のＡ−Ａ間の断面図である。図３は図１に示すパッケージ本体のＢ−Ｂ間の断面図である。図４は図１に示すパッケージ本体のＣ−Ｃ間の断面図である。図５は図１に示すパッケージ本体のＤ−Ｄ間の断面図である。図６は図１に示すパッケージ本体のＥ−Ｅ間の断面図である。
【００２０】
図１に示す電池用パッケージは、クラムシェルパックと呼ばれる図１（ａ）に示すパッケージ本体１と、図１（ｃ）に示す台紙としての第３シール２とから構成されている。パッケージ本体１は、空気電池（以下、電池と略称する。）を収納する収納部材１ａと、この収納部材１ａを開閉する蓋部材１ｂと、収納部材１ａと蓋部材１ｂとを連結させるヒンジ部１ｃとで構成されている。
【００２１】
収納部材１ａには、外周近傍に形成された平坦部５ａと、この平坦部５ａに対して図６に示すように、凸状に形成された凸部１０ａとが設けられている。この凸部１０ａには、６つの電池収納部１２、一時電池収納部１４、凹状穴部１３ａが形成されている。
【００２２】
各々の電池収納部１２は、図２に示すように、電池７の径と高さに合せて窪みを形成し、この窪みに電池７を収納する。一時電池収納部１４は、図３に示すように、電池７の径と高さに合せて窪みを形成し、この窪みに使用済みの電池７を一時的に収納する。凹状穴部１３ａは、図４に示すように、凹状に形成されており、パッケージ本体１をつり下げる。
【００２３】
ボタン型の６個の電池７の各々の表面には、図１（ｂ）に示すように、電池未使用時に穴からの酸素の進入と湿気を防ぐために、粘着剤により第１シール１１が貼り付けられおり、この第１シール１１が貼り付けられた電池７が電池収納部１２に収納されている。第１シール１１は、小径のタブ部を有し、電池７を電池収納部１２に収納する際に、第１シール１１のタブ部が外側を向くように電池７を配置する。
【００２４】
蓋部材１ｂには、平坦部５ｂと、凹部１０ｂと、凸状穴部１３ｂとが形成されている。平坦部５ｂは、収納部材１ａを閉じた時に収納部材１ａの平坦部５ａと対向する。凹部１０ｂは、図２及び図５に示すように凹状に形成されており、収納部材１ａを閉じた時に収納部材１ａの凸部１０ａと嵌合する。凸状穴部１３ｂは、図４に示すように、凸状に形成されており、収納部材１ａを閉じた時に収納部材１ａの凹状穴部１３ａと嵌合する。
【００２５】
第３シール２は、収納部材１ａの凸部１０ａの大きさ及び形状と略同一大きさ及び形状をなし、収納部材１ａの凸部１０ａ上に粘着剤により貼り付けられるようになっている。第３シール２には、６つの電池収納部１２内の６つの第１シール１１の位置に対応した位置に設けられた６つの第２シール２１と、一時電池収納部１４の位置に対応した位置に設けられたシール２４と、凹状穴部１３ａの位置に対応した位置に設けられた穴部２３とが形成されている。シール２４にはミシン目が形成されている。６つの第２シール２１とシール２４との間にはミシン目２５が形成されている。
【００２６】
６つの第２シール２１は、纏まって第３シール２を構成し、６つの第２シール２１の各々の外周にはミシン目が形成され、第２シール２１のミシン目をちぎると、個々の第２シール２１が第３シール２から分離されるようになっている。
【００２７】
各々の第２シール２１は、対応する第１シール１１上に貼り付けられるようになっている。各々の第２シール２１の電池対応部分は、電池７の径に合わせて同径かあるいは電池７よりも一回り大きく、第２シール２１の電池対応部分以外の部分には手でつまみ易く十分な大きさのタブ部２２が形成されている。
【００２８】
第２シール２１は、第１シール１１の粘着剤よりも同等以上の粘着力を有している。第２シール２１に形成されたタブ部２２は、粘着剤を塗布しないか、粘着剤の上に樹脂シートを貼り付けるか、粘着剤を印刷、あるいは薬剤等で機能させないように処理する。
【００２９】
第２シール２１（第３シール２）の粘着剤としては、パッケージから電池７を容易に取出すため、再剥離タイプのものを使用する。粘着剤としては、例えば、ポリアクリル酸エステル、塩素化ポリエチレン、ＳＢＲ（スチレン−ブタジエンゴム）、ポリイソブチレンなどを用いることができる。
【００３０】
第３シール２は、図７に示すように、粘着剤２６と、この粘着剤２６上に積層された基材２７と、この基材２７上に積層された印刷層２８とを有して構成されている。基材２７は、ＰＥＴ（ポリエチレンテレフタレートで透明）からなり、厚みが５０μｍである。
【００３１】
第１シール１１，第３シール２は、ＰＥＴ、あるいはＰＶＣ（ポリ塩化ビニル）、ＰＰ（ポリプロピレン）、ＰＳ（ポリスチレン）等の樹脂からなる。このため、パッケージ本体１の材質を第１シール１１，第３シール２の材質と同じものに選択すれば、全て同じ材質のものになるから、分別が不要な環境に配慮した電池用パッケージとなる。
【００３２】
以上のように構成された第１の実施の形態に係る電池用パッケージによれば、図１（ａ）に示すように、第１シール１１が表面に揃って６個配置されているので、図８に示すように、第３シール２上の第２シール２１部分が第１シール１１と重なるように、第３シール２を収納部材１ａの凸部１０ａに貼り合せる。このため、第３シール２が収納部材１ａの表面のほとんどを覆うことから、電池７が収納部材１ａからこぼれ落ちるのを防止できる。
【００３３】
また、電池７を使用するときには、収納部材１ａに貼り付けられた第３シール２上の第２シール２１のタブ部２２を掴んで第２シール２１のミシン目をちぎると、第２シール２１に貼り付いた第１シール１１も一体となって第２シール２１として取り出すことができ、また第１シール１１に貼り付いた電池７も同時に取り出すことができる。また、タブ部２２は十分な大きさを有しているので、タブ部２２をつまむことで電池７を容易につまむことができ、電池７を補聴器等の機器に入れ易くなる。また、第２シール２１を剥がすことで第２シール２１と一体となって第１シール１１を電池７から剥がすことができる。また、現状の設備を使用できるので、コストを低減できる。
【００３４】
また、第２シール２１の粘着剤は、第１シール１１の粘着剤の粘着力と同等以上の粘着力を有しているので、第２シール２１と同時に第１シール１１も一体となって、また、第１シール１１に貼り付いた電池７も同時に取り出すことができる。
【００３５】
このとき、第３シール２（第２シール２１）の粘着剤としては、電池収納部１２から電池７を取出すときには、大きな粘着力は必要としないので、永久接着タイプの粘着剤よりも、容易に剥がしやすい再剥離タイプの粘着剤が適している。
【００３６】
また、第２シール２１が纏まって例えば６個含んだ一回り大きい第３シール２を形成し、第３シール２の６つの第２シール２１部分に、同時に電池７の第１シール１１を接着させているので、個々に第２シール２１と第１シール１１とを貼り付けるよりも大幅に作業性を改善することができる。
【００３７】
また、収納部材１ａの凸部１０ａに第３シール２を貼り付けた際に、タブ部２２の真下には、凸部１０ａに形成された切欠部１５，１６が対向配置されているので（図８に示す斜線部分）、タブ部２２が掴みやすくなる。また、タブ部２２には粘着剤が塗布されていない。
【００３８】
（第２の実施の形態）
図１０は本発明の第２の実施の形態の電池用パッケージの正面図である。図１１は図１０に示す収納部材のＡ−Ａ間の断面図である。図１２は図１０に示す収納部材のＢ−Ｂ間の断面図である。図１３は図１０に示す収納部材のＣ−Ｃ間の断面図である。図１４は台紙を貼り付けた収納部材の正面図である。
【００３９】
図１０に示す電池用パッケージは、ブリスターパックと呼ばれるものであり、図１０（ａ）に示す収納部材３と、図１０（ｂ）に示す台紙４とから構成されている。収納部材３には、外周近傍に形成された平坦部５と、６つの電池収納部３２、一時電池収納部３４、穴部３３が形成されている。
【００４０】
各々の電池収納部３２は、図１１及び図１３に示すように、電池７の径と高さに合せて窪みを形成し、この窪みに電池７を収納する。一時電池収納部３４は、図１２及び図１３に示すように、電池７の径と高さに合せて窪みを形成し、この窪みに使用済みの電池７を一時的に収納する。穴部３３は、収納部材３をつり下げる。
【００４１】
ボタン型の６個の電池７の各々の表面には、第１シール１１が貼り付けられおり、第１シール１１が貼り付けられた電池７が電池収納部３２に収納されている。第１シール１１は、小径のタブ部を有し、電池７を電池収納部３２に収納する際に、第１シール１１のタブ部が外側を向くように電池７を配置する。
【００４２】
台紙４は、収納部材３の大きさ及び形状と略同一大きさ及び形状をなし、収納部材３上に粘着剤により貼り付けられるようになっている。台紙４には、６つの電池収納部３２内の６つの第１シール１１の位置に対応した位置に設けられた６つの第２シール４１と、一時電池収納部３４の位置に対応した位置に設けられたシール４４と、穴部３３の位置に対応した位置に設けられた穴部４３とが形成されている。シール４４にはミシン目が形成されている。
【００４３】
６つの第２シール４１は、纏まって台紙４を構成し、６つの第２シール４１の各々の外周にはミシン目が形成され、第２シール４１のミシン目をちぎると、個々の第２シール４１が台紙４から分離されるようになっている。
【００４４】
各々の第２シール４１は、対応する第１シール１１上に貼り付けられるようになっている。各々の第２シール４１の電池対応部分は、電池７の径に合わせて同径かあるいは電池７よりも一回り大きく、第２シール４１の電池対応部分以外の部分には手で掴み易く十分な大きさのタブ部４２が形成されている。
【００４５】
第２シール４１は、第１シール１１の粘着剤よりも同等以上の粘着力を有している。第２シール４１に形成されたタブ部４２は、粘着剤を塗布しないか、粘着剤の上に樹脂シートを貼り付けるか、粘着剤を印刷、あるいは薬剤等で機能させないように処理する。
【００４６】
第２シール４１（台紙４）の粘着剤としては、パッケージから電池７を容易に取出すため、再剥離タイプのものを使用する。粘着剤としては、例えば、ポリアクリル酸エステル、塩素化ポリエチレン、ＳＢＲ（スチレン−ブタジエンゴム）、ポリイソブチレンなどを用いることができる。
【００４７】
台紙４は、第３シール２と同様に構成され、図７に示すように、粘着剤２６と、この粘着剤２６上に積層された基材２７と、この基材２７上に積層された印刷層２８とを有して構成されている。基材２７は、ＰＥＴ（ポリエチレンテレフタレートで透明）からなり、厚みが５０μｍである。
【００４８】
第１シール１１，台紙４は、ＰＥＴ、あるいはＰＶＣ（ポリ塩化ビニル）、ＰＰ（ポリプロピレン）、ＰＳ（ポリスチレン）等の樹脂からなる。このため、収納部材３の材質を第１シール１１，台紙４の材質と同じものに選択すれば、全て同じ材質のものになるから、分別が不要な環境に配慮した電池用パッケージとなる。
【００４９】
以上のように構成された第２の実施の形態に係る電池用パッケージによれば、図１０（ａ）に示すように、第１シール１１が表面に揃って６個配置されているので、図１４に示すように、台紙４上の第２シール４１部分が第１シール１１と重なるように、台紙４を収納部材３に貼り合せる。このため、台紙４が収納部材３の表面のほとんどを覆うことから、電池７が収納部材３からこぼれ落ちるのを防止できるので、ブリスターパックの台紙として機能を果たす。
【００５０】
また、電池７を使用するときには、収納部材３に貼り付けられた台紙４の第２シール４１のタブ部４２を掴んで第２シール４１のミシン目をちぎると、第２シール４１に貼り付いた第１シール１１も一体となって第２シール４１として取り出すことができ、また第１シール１１に貼り付いた電池７も同時に取り出すことができる。また、タブ部４２は十分な大きさを有しているので、タブ部４２をつまむことで電池７を容易につまむことができ、電池７を補聴器等の機器に入れ易くなる。また、第２シール４１を剥がすことで第２シール４１と一体となって第１シール１１を電池７から剥がすことができる。また、現状の設備を使用できるので、コストを低減できる。
【００５１】
また、第２シール４１の粘着剤は、第１シール１１の粘着剤の粘着力と同等以上の粘着力を有しているので、第２シール４１と同時に第１シール１１も一体となって剥がすことができ、また、第１シール１１に貼り付いた電池７も同時に取り出すことができる。
【００５２】
このとき、台紙４（第２シール４１）の粘着剤としては、電池収納部３２から電池７を取出すときには、大きな粘着力は必要としないので、永久接着タイプの粘着剤よりも、容易に剥がしやすい再剥離タイプの粘着剤が適している。
【００５３】
また、第２シール４１が纏まって例えば６個含んだ一回り大きい台紙４を形成し、台紙４の６つの第２シール４１部分に、同時に電池７の第１シール１１を接着させているので、個々に第２シール４１と第１シール１１とを貼り付けるよりも大幅に作業性を改善することができる。
【００５４】
また、収納部材３に台紙４を貼り付けた際に、タブ部４２の真下には、平坦部５に形成された切欠部３５，３６が対向配置されているので（図１４に示す斜線部分）、タブ部４２が掴みやすくなる。また、タブ部４２には粘着剤が塗布されていない。
【００５５】
なお、本発明の実施例では、台紙の大きさが収納部材と略同一の大きさとしたが、台紙の長さを収納部材の１．５倍〜２倍程度に伸ばして折畳み式にし、折畳みされる台紙に説明書や注意文書を印刷等してもよい。
【００５６】
また、本発明では、空気電池として空気亜鉛電池を用いたが、負極の亜鉛の代わりにアルミニウム、マグネシウム、リチウム等の金属を用いた空気電池にも適用できる。
【００５７】
【発明の効果】
本発明によれば、現状の設備を使用しながら、電池を容易につまむことができ、電池を補聴器等の機器に入れ易くすることで容易に電池を交換できる電池用パッケージを提供することができる。
【図面の簡単な説明】
【図１】本発明の第１の実施の形態の電池用パッケージの正面図である。
【図２】図１に示すパッケージ本体のＡ−Ａ間の断面図である。
【図３】図１に示すパッケージ本体のＢ−Ｂ間の断面図である。
【図４】図１に示すパッケージ本体のＣ−Ｃ間の断面図である。
【図５】図１に示すパッケージ本体のＤ−Ｄ間の断面図である。
【図６】図１に示すパッケージ本体のＥ−Ｅ間の断面図である。
【図７】図１に示す第３シールの材料構成を示す図である。
【図８】第３シールを貼り付けたパッケージ本体に対して蓋部材が開けられた状態を示す図である。
【図９】第３シールを貼り付けたパッケージ本体に蓋部材を閉じた状態を示す図である。
【図１０】本発明の第２の実施の形態の電池用パッケージの正面図である。
【図１１】図１０に示す収納部材のＡ−Ａ間の断面図である。
【図１２】図１０に示す収納部材のＢ−Ｂ間の断面図である。
【図１３】図１０に示す収納部材のＣ−Ｃ間の断面図である。
【図１４】台紙を貼り付けた収納部材の正面図である。
【図１５】従来のボタン型電池の包装容器の正面図である。
【図１６】従来のボタン型電池の包装容器の側面断面図である。
【符号の説明】
１ …パッケージ本体、１ａ，３…収納部材、１ｂ…蓋部材、２ …第３シール（台紙）、４…台紙、５，５ａ，５ｂ…平坦部、７…空気電池、１０ａ…凸部、１１…第１シール、１２，３２…電池収納部、１３ａ…凹状穴部、１３ｂ…凸状穴部、１４，３４…一時電池収納部、１５，１６，３５，３６…切欠部、２１，４１…第２シール、２２，４２…タブ部、２３，３３，４３…穴部、２４，４４…シール、２５…ミシン目、２６…粘着剤、２７…基材、２８…印刷層。
【図１】
2004207147.tif 000003
【図２】
2004207147.tif 000004
【図３】
2004207147.tif 000005
【図４】
2004207147.tif 000006
【図５】
2004207147.tif 000007
【図６】
2004207147.tif 000008
【図７】
2004207147.tif 000009
【図８】
2004207147.tif 000010
【図９】
2004207147.tif 000011
【図１０】
2004207147.tif 000012
【図１１】
2004207147.tif 000013
【図１２】
2004207147.tif 000014
【図１３】
2004207147.tif 000015
【図１４】
2004207147.tif 000016
【図１５】
2004207147.tif 000017
【図１６】
2004207147.tif 000018